(57)【要約】【課題】  携帯情報端末側で状況・用途・通話先などにより、自動的に通話を制限できるようにすることを目的とする。【解決手段】  通話制御情報の設定・制御が可能な携帯通信情報端末１と携帯通信情報端末１の通話制御を行う通信制御サーバ２とを備える通信ネットワークシステムにおいて、携帯通信情報端末１は、位置情報を取得するデバイスにより取得した位置情報と携帯通信情報端末１の端末情報とに基づいて端末状態情報を作成する位置情報取得・通知部１１と、位置情報取得・通知部１１が作成した端末状態情報を受け取り、通信制御サーバ２に送信する端末通信部１５と、通信制御サーバ２は、端末通信部１５が送信した端末状態情報を受け取るサーバ通信部２１と、サーバ通信部２１が受け取った端末状態情報を保存する端末制御情報格納部２２に、端末状態情報を保存する制御情報設定部２３と、を備える。【選択図】  図１
2006246346.tif 000002
【特許請求の範囲】
【請求項１】
通話制御情報の設定・制御が可能な携帯通信情報端末と当該携帯通信情報端末の通話制御を行う通信制御サーバとを備える通信ネットワークシステムにおいて、
前記携帯通信情報端末は、位置情報を取得するデバイスにより取得した位置情報と前記携帯通信情報端末の端末情報とに基づいて端末状態情報を作成する位置情報取得・通知部と、
当該位置情報取得・通知部が作成した端末状態情報を受け取り、前記通信制御サーバに送信する端末通信部と、
前記通信制御サーバは、当該端末通信部が送信した前記端末状態情報を受け取るサーバ通信部と、
前記サーバ通信部が受け取った前記端末状態情報を保存する端末制御情報格納部に、前記端末状態情報を保存する制御情報設定部と、を備えることを特徴とする通信ネットワークシステム。
【請求項２】
前記携帯通信端末は、発信先の電話番号を取得し、前記携帯通信情報端末の各デバイスを制御するか否かというアクション情報が設定されているか否かという問い合せを行う通信制御部と、
前記アクション情報に基づいて前記各デバイスを制御するデバイス制御部と、をさらに備えることを特徴とする請求項１記載の通信ネットワークシステム。
【請求項３】
前記通信制御サーバは、前記サーバ受信部より判定問い合わせ情報を受け取り、前記通信制御情報格納部と前記端末状態情報格納部の情報を取得し、問い合せ結果を返却する制御情報判定部を備えることを特徴とする請求項１又は２記載の通信ネットワークシステム。
【請求項４】
通話制御情報の設定・制御が可能な携帯通信情報端末と当該携帯通信情報端末の通話制御を行う通信制御サーバとを備える通信ネットワークシステムの携帯通信情報端末において、
位置情報を取得するデバイスにより取得した位置情報と前記携帯通信情報端末の端末情報とに基づいて端末状態情報を作成する位置情報取得・通知部と、
当該位置情報取得・通知部が作成した端末状態情報を受け取り、前記通信制御サーバに送信する端末通信部と、を備えることを特徴とする携帯通信情報端末。
【請求項５】
発信先の電話番号を取得し、前記携帯通信情報端末の各デバイスを制御するか否かというアクション情報が設定されているか否かという問い合せを行う通信制御部と、
前記アクション情報に基づいて前記各デバイスを制御するデバイス制御部と、をさらに備えることを特徴とする請求項４記載の携帯通信情報端末。
【請求項６】
通話制御情報の設定・制御が可能な携帯通信情報端末と当該携帯通信情報端末の通話制御を行う通信制御サーバとを備える通信ネットワークシステムの通信制御サーバにおいて、
当該端末通信部が送信した前記端末状態情報を受け取るサーバ通信部と、
前記サーバ通信部が受け取った前記端末状態情報を保存する端末制御情報格納部に、前記端末状態情報を保存する制御情報設定部と、を備えることを特徴とする通信制御サーバ。
【請求項７】
前記サーバ受信部より判定問い合わせ情報を受け取り、前記通信制御情報格納部と前記端末状態情報格納部の情報を取得し、問い合せ結果を返却する制御情報判定部を備えることを特徴とする請求項６記載の通信制御サーバ。
【発明の詳細な説明】
【技術分野】
【０００１】
本発明は、通信ネットワークシステム、携帯通信情報端末及び通信制御サーバに関し、特に、携帯情報端末側で状況・用途・通話先などにより、自動的に通話を制限できる通信ネットワークシステム、携帯通信情報端末及び通信制御サーバに関する。
【背景技術】
【０００２】
従来は、携帯情報端末使用者が相手からの通話に対する制御手段として、電源断やマナーモードやドライブモード等のモード設定を場所や状況に応じてその都度行うことにより、使用者の所持する携帯情報端末側にて制限を行っていた。
【特許文献１】特開２００３−１７４６７５号公報
【特許文献２】特開２００３−２１９４６７号公報
【特許文献３】特開２００３−２８４１５３号公報
【特許文献４】特開平９−３２２２６１号公報
【発明の開示】
【発明が解決しようとする課題】
【０００３】
しかしながら、このような操作は煩雑であり、不便であった。
【０００４】
また、電源断やモード設定といった機能は、携帯情報端末にかかる通話すべてに対して同一の動作を起こすため、１台の携帯情報端末を場所や状況に応じて、複数の用途で使用するといった方法は困難であった。
【０００５】
そこで、本発明は、携帯情報端末側で状況・用途・通話先などにより、自動的に通話を制限できるようにすることを目的とする。
【課題を解決するための手段】
【０００６】
本発明は、上記課題を解決するための手段として、通話制御情報の設定・制御が可能な携帯通信情報端末と当該携帯通信情報端末の通話制御を行う通信制御サーバとを備える通信ネットワークシステムにおいて、前記携帯通信情報端末は、位置情報を取得するデバイスにより取得した位置情報と前記携帯通信情報端末の端末情報とに基づいて端末状態情報を作成する位置情報取得・通知部と、当該位置情報取得・通知部が作成した端末状態情報を受け取り、前記通信制御サーバに送信する端末通信部と、前記通信制御サーバは、当該端末通信部が送信した前記端末状態情報を受け取るサーバ通信部と、前記サーバ通信部が受け取った前記端末状態情報を保存する端末制御情報格納部に、前記端末状態情報を保存する制御情報設定部と、を備えることを特徴とする。
【０００７】
また、本発明は、通話制御情報の設定・制御が可能な携帯通信情報端末と当該携帯通信情報端末の通話制御を行う通信制御サーバとを備える通信ネットワークシステムの携帯通信情報端末において、位置情報を取得するデバイスにより取得した位置情報と前記携帯通信情報端末の端末情報とに基づいて端末状態情報を作成する位置情報取得・通知部と、当該位置情報取得・通知部が作成した端末状態情報を受け取り、前記通信制御サーバに送信する端末通信部と、を備えることを特徴とする。
【０００８】
また、本発明は、通話制御情報の設定・制御が可能な携帯通信情報端末と当該携帯通信情報端末の通話制御を行う通信制御サーバとを備える通信ネットワークシステムの通信制御サーバにおいて、当該端末通信部が送信した前記端末状態情報を受け取るサーバ通信部と、前記サーバ通信部が受け取った前記端末状態情報を保存する端末制御情報格納部に、前記端末状態情報を保存する制御情報設定部と、を備えることを特徴とする。
【発明の効果】
【０００９】
本発明によれば、サーバに対してあらかじめ通話制限情報を設定することによって、移動場所や用途によって携帯情報端末の設定をすることなく、自動的に通話相手の制御を行うことが可能になる。
【００１０】
また、本発明によれば、通話要求元が通話相手先の携帯情報端末使用者の状況を意識することなく、通話を行うことが可能になる。
【００１１】
その理由は、あらかじめ携帯情報端末より通話制御サーバに通話制限情報を設定し、携帯情報端末より定期的に位置情報をサーバに通知するため、通話時の制御条件をサーバのみで管理することができるためである。
【発明を実施するための最良の形態】
【００１２】
以下、添付図面を参照して本発明を実施するための最良の実施の形態を説明する。
【００１３】
［構成の説明］
図１は本発明の一実施の形態の構成を示すブロック図である。
【００１４】
図１に示すように、本実施の形態は、携帯通信端末１と通話制御サーバ２とを備えている。
【００１５】
携帯通信端末１は、位置情報取得・通知部１１と、制御情報設定部１２と、通話制御部１３と、デバイス制御部１４と、端末通信部１５とを備えている。
【００１６】
位置情報取得・通知部１１は、位置情報取得デバイスにより検知した端末位置情報を取得し、取得した位置情報と携帯情報端末の電話番号により端末状態情報３を作成し端末通信部１５に端末状態情報１を送る。
【００１７】
制御情報設定部１２は、携帯情報端末１の使用者に入力インターフェースを提供し、着信制御を行いたい電話番号、適用する制御エリア、条件を満たす場合のアクション情報を取得し、これらの情報より通話制御情報４を作成し作成した通話制御情報４を端末通信部１５に引き渡す。
【００１８】
通話制御部１３は、携帯情報端末にて発信の要求を検知すると動作を開始する。
【００１９】
発信先の携帯情報端末の電話番号を取得し、取得された発信先の携帯情報端末の電話番号より判定問い合わせ情報５を作成する。
【００２０】
作成された判定問い合わせ情報５を端末通信部１５に引き渡すことにより問い合わせ要求を行う。
【００２１】
問い合わせ要求後、端末通信部１５より問い合わせ結果を受け取る。
【００２２】
問い合わせ結果としてアクション情報４５が設定されている場合、このアクション情報４５に従いデバイス制御部１４へデバイスの制御要求を行う。
【００２３】
アクション情報４５が設定されていない場合、従来と携帯情報端末と同様に発信を行う。
【００２４】
デバイス制御部１４は、通話制御部１３からの指示により携帯情報端末画面、サウンド、バイブレータ等の移動機の持つデバイスの制御を行う。
【００２５】
携帯端末情報送受信部１５は、位置情報取得・通知部１１、制御情報設定・通知部１２、通話制御部１３より引き渡される端末状態情報３、通話制御情報４、判定問い合わせ情報５を取得し、サーバ通信部２１へ送信を行う。
【００２６】
また、サーバ通信部２１から判定問い合わせ要求結果を受信し、通話制御部１３へ問い合わせ要求結果を引き渡す。
【００２７】
また、通話制御サーバ２は、サーバ通信部２１と、制御情報設定部２２と、制御情報判定部２３と、通話制御情報格納部２４と、端末状態情報格納部２５とを備えている。
【００２８】
サーバ通信部２１は、端末通信部１５より送信される端末状態情報３、通話制御情報４及び判定問い合わせ情報５を受信する。
【００２９】
サーバ通信部２１は、端末状態情報３及び通話制御情報４を受信した場合、制御情報設定部２２に端末状態情報３、通話制御情報４を引き渡す。
【００３０】
サーバ通信部２１は、判定問い合わせ情報５を受信した場合、制御情報判定部２３に判定問い合わせ情報５を引き渡す。
【００３１】
サーバ通信部２１は、制御情報判定部２３より問い合わせ要求結果を引き渡されると、端末通信部１５に問い合わせ要求結果の送信を行う。
【００３２】
制御情報設定部２２は、サーバ通信部２１より端末状態情報３、通話制御情報４を受け取り、通話制御情報４は通話制御情報格納部２４へ保存を行う。
【００３３】
また、制御情報設定部２２は、端末状態情報３を端末制御情報格納部２５へ保存を行う。
【００３４】
制御情報判定部２３は、サーバ受信部２１より判定問い合わせ情報５を受け取り、判定先電話番号５２と一致する識別電話番号を持つ端末状態情報３を端末状態情報格納部２５より取得する。
【００３５】
次に、通話制御情報格納部２４より判定元電話番号５１と一致する設定先電話番号４２を持ち、かつ判定先電話番号５２と一致する設定元電話番号５１を持ち、かつ位置情報３１を含むエリア情報４３を持ち、さらに通信制御サーバ内のシステム時間が制御時間情報４４に含まれる通話制御情報４を取得する。
【００３６】
取得した通話制限情報４に含まれるアクション情報４５を問い合わせ要求結果としてサーバ通信部２１へ引き渡す。
【００３７】
通話制限情報格納部２４より通話制限情報４を取得できなかった場合、アクション情報４５を含まない問い合わせ要求結果をサーバ通信部２１へ引き渡す。
【００３８】
通話制御情報格納部２４は、制御情報設定部２２により渡される通話制御情報４の保存領域である。
【００３９】
端末状態情報格納部２５は、制御情報設定部２２により渡される端末状態情報３の保存領域である。
【００４０】
携帯情報端末１と通話制御サーバ２を使用することにより、携帯情報端末にて通話制御サーバ２に対して通話制御情報の設定が可能である。
【００４１】
また、定期的に位置情報取得・通知部１１が動作することで端末状態情報を常にサーバ側にもたせることができる。
【００４２】
また、同一の機能を持つ携帯情報端末１より、通話時に通話制御サーバ２への問い合わせを行うことで、サーバ側に保持されている通話制御情報と、端末状態情報より発信先の制御動作を取得することができ、取得した制御動作に従い携帯情報端末１が動作することによって発信先の端末に接続することなく通話の制限を行うことが可能となる。
【００４３】
図２は、端末状態情報、通話制御情報及び判定問合せ情報について示す図である。
【００４４】
端末状態情報３は、位置情報３１と、識別電話番号３２により構成される。
【００４５】
位置情報３１は、位置情報取得・通知部１１にて取得される携帯情報端末１の位置情報を示す。
【００４６】
識別電話番号３２は、位置情報３１を取得した携帯情報端末１を識別する為の電話番号を示す。
【００４７】
通話制御情報４は、設定元電話番号４１と、設定先電話番号４２と、エリア情報４３と、アクション情報４４により構成される。
【００４８】
設定元電話番号４１は、通話制御情報４を設定した携帯情報端末１を識別する為の電話番号を示す。
【００４９】
設定先電話番号４２は、携帯情報端末１の通話の制御を行う対象を識別する為の電話番号を示す。
【００５０】
エリア情報４３は、携帯情報端末１の通話制御を行うエリア領域を示す。
【００５１】
制限時間情報４４は、携帯情報端末１の通話制御を行う時間帯を示す。
【００５２】
アクション情報４５は、設定元電話番号４１、設定先電話番号４２、エリア情報４３、制限時間情報４４の条件を満たした判定問い合わせが行われた場合の通話制御部１３に行わせるアクション動作を示す。
【００５３】
判定問い合わせ情報５は、判定元電話番号５１と、判定先電話番号５２により構成される。
【００５４】
判定元電話番号５１は、通話要求元となる携帯情報端末の電話番号を示す。
【００５５】
判定先電話番号５２は、通話要求先となる携帯情報端末の電話番号を示す。
【００５６】
［動作の説明］
次に、図１から図３を参照して本発明の一実施の形態の動作について説明する。
【００５７】
図３は、携帯情報端末１及び通話制御サーバ２の動作開始のトリガとなる操作を示したブロック図である。
【００５８】
本実施の形態の動作は、位置情報受信（動作１）、通信制御情報入力（動作２）及び通話操作開始（動作３）が存在する。
【００５９】
なお、位置情報受信（動作１）は、位置情報取得デバイスにより位置情報を受信するたびに発生する。
【００６０】
また、通信制御情報入力（動作２）及び通話操作開始（動作３）は、携帯情報端末の使用者による操作により発生する。
【００６１】
まず、位置情報受信（動作１）時の動作を説明する。
【００６２】
はじめに、位置情報受信（動作１）が発生すると、位置情報検出・取得部１１により端末位置情報を取得する。
【００６３】
取得した端末位置情報を位置情報３１、携帯情報端末の電話番号を識別電話番号３２として、端末状態情報３を作成する。
【００６４】
作成した端末状態情報３は、端末通信部１５に引き渡される。
【００６５】
端末通信部１５は、引き渡された端末状態情報３をサーバ通信部２１に送信する。
【００６６】
サーバ通信部２１は、端末通信部１５より送信された端末状態情報３を取得し、制御情報設定部２２に引き渡す。
【００６７】
制御情報設定部２２は、引き渡された端末状態情報３を端末状態情報格納部２５に保存する。
【００６８】
この際に端末状態情報格納部２５に同一の識別電話番号３２をもつ端末状態情報３が格納されている場合、端末状態情報格納部２５に保存されている端末状態情報３を制御情報設定部２２から端末状態情報３により更新する。
【００６９】
次に、通信制御情報入力（動作２）時の動作を説明する。
【００７０】
はじめに、通信制御情報入力（動作２）が行われると、制御情報設定部１２により着信制御を行いたい電話番号、適用するエリア、条件を満たす場合のアクション情報を取得し、これら情報をもとに通話制御情報４を作成する。
【００７１】
作成した通話制御情報４を端末通信部１５に引き渡す。
【００７２】
端末通信部１５は、引き渡された端末状態情報３をサーバ通信部２１に送信する。
【００７３】
サーバ通信部２１は、端末通信部１５より送信された通話制御情報４を取得し、制御情報設定部２２に引き渡す。
【００７４】
制御情報設定部２２は、引き渡された通話制御情報４を通話制御情報格納部２４に保存する。
【００７５】
最後に、通話操作開始（動作３）時の動作を説明する。
【００７６】
はじめに、通話操作開始（動作３）により通話先の電話番号の入力が発生すると、通話制御部１３がこの通話先電話番号を取得する。
【００７７】
次に、取得した通話先電話番号を判定先電話番号３２、発信元となる携帯情報端末の電話番号を判定元電話番号３１として判定問い合わせ情報５を作成する。
【００７８】
作成された判定問い合わせ情報３は、端末通信部１５に引き渡される。
【００７９】
端末通信部１５は、引き渡された判定問い合わせ情報５をサーバ通信部２１に送信する。
【００８０】
サーバ通信部２１は、端末通信部１５より送信された問い合わせ情報５を取得し、制御情報判定部２３に引き渡す。
【００８１】
制御情報設定部２３は、引き渡された問い合わせ情報５に含まれる判定先電話番号５２を含む端末状態情報３を、端末状態情報格納部２５より取得する。
【００８２】
次に、通話制御情報格納部２４より、（１）判定元電話番号５１と一致する設定先電話番号４２、（２）判定先電話番号５２と一致する設定元電話番号５１、（３）位置情報３１を含むエリア情報４３、（４）通信制御サーバ内のシステム時間が制御時間情報４４に含まれる、これら（１）〜（４）の条件を満たす通話制御情報４を取得する。
【００８３】
取得した通話制限情報４に含まれるアクション情報４５を問い合わせ要求結果としてサーバ通信部２１へ引き渡す。
【００８４】
通話制限情報格納部２４より通話制限情報４を取得できなかった場合、アクション情報４５を含まない問い合わせ要求結果をサーバ通信部２１へ引き渡す。
【００８５】
サーバ通信部２１は、引き渡された問い合わせ結果を端末通信部１５に送信する。
【００８６】
端末通信部１５は、サーバ通信部２１より送信された問い合わせ結果を受信し、通話制御部１３に引き渡す。
【００８７】
通話制御部１３は、引き渡された問い合わせ結果にアクション情報が含まれていない場合、従来どおりの通話処理を続行する。
【００８８】
引き渡された問い合わせ結果にアクション情報が含まれている場合、このアクション情報に従い、携帯情報端末に対するアクションをデバイス制御部１４に要求する。
【００８９】
デバイス制御１４は、通話制御部１３より要求されたアクションに従い、メッセージの表示や音声の再生などの携帯情報端末のデバイスによるアクションを行う。
【００９０】
次に、図４−図７を参照して具体例を用いて説明する。
【００９１】
図４は、本実施の形態の具体例を示す図である。
【００９２】
図４において、人物Ａが所持する携帯情報端末の通話制御を人物Ａが会社にいる時間帯には人物Ｃからの電話を受けないようにし、自宅にいる時間帯には人物Ｂからの電話を受けないようにする。
【００９３】
これにより、１台の携帯情報端末を状況に応じて自動的に使い分けるための実施例を例１〜４を用いて説明する。
【００９４】
なお、人物Ａは、通常７時から２１時までは会社、１８時から７時までは自宅にいる可能性があるとする。
【００９５】
また、人物Ｂは、人物Ａと仕事上の関係者、人物Ｃは人物Ａとのプライベート上での関係者であるとする。
【００９６】
このときの、人物Ｂから会社にいる人物Ａに１１時に通話する場合を例１、人物Ｂから自宅にいる人物Ｂに１９時に通話する場合を例２、人物Ｃから会社にいる人物Ａに通話する場合を例３、人物Ｃから自宅にいる人物Ａに通話する場合を例４としている。
【００９７】
図５は、例１〜４が発生する以前に、人物Ａが所持する携帯情報端末より設定を行い、通話制御サーバに設定した通話制御情報を示す。
【００９８】
図６は、例１〜４における制御情報判定部における判定時の情報を示す。
【００９９】
例１の場合、人物Ｂより人物Ａに対して通話を実施すると、まず人物Ｂの所持する携帯情報端末より通話制御サーバに対して判定問い合わせが行われる。このとき、人物ＡはエリアＢに存在するため、通話制御情報との判定は図６の例１の情報と判定が行われる。
【０１００】
このとき、図５には条件に合致する通話制御情報は存在しない為、問い合わせ結果としてアクション情報「なし」が返却される。
【０１０１】
したがって人物Ｂの所持する携帯情報端末では発信制御は発生せず、従来どおり人物Ａへの通話が可能となる。
【０１０２】
例２の場合、人物Ｂより人物Ａに対して通話を実施すると、例１と同様に通話制御サーバに対して判定問い合わせが行われる。
【０１０３】
このとき、人物ＡはエリアＡに存在するため、通話制御情報との判定は図６の例２の情報と判定が行われる。
【０１０４】
このとき、図５の制御情報Ａに合致するため、問い合わせ結果としてアクション情報「メッセージ表示、通話禁止」が返却される。
【０１０５】
したがって人物Ｂの所持する携帯情報端末ではアクション情報に従い、メッセージが表示され、通話が行われない。
【０１０６】
例３の場合、人物Ｃより人物Ａに対して通話を実施すると、例１と同様に通話制御サーバに対して判定問い合わせが行われる。
【０１０７】
このとき、人物ＡはエリアＢに存在するため、通話制御情報との判定は図６の例３の情報と判定が行われる。
【０１０８】
このとき、図５の制御情報Ａに合致するため、問い合わせ結果としてアクション情報「メッセージ表示、通話禁止」が返却される。
【０１０９】
したがって人物Ｃの所持する携帯情報端末ではアクション情報に従い、メッセージが表示され、通話が行われない。
【０１１０】
例４の場合、人物Ｃより人物Ａに対して通話を実施すると、例１と同様に通話制御サーバに対して判定問い合わせが行われる。
【０１１１】
このとき、人物ＡはエリアＡに存在するため、通話制御情報との判定は図６の例４の情報と判定が行われる。
【０１１２】
このとき、図５には条件に合致する通話制御情報は存在しない為、問い合わせ結果としてアクション情報「なし」が返却される。
【０１１３】
したがって人物Ｃの所持する携帯情報端末では発信制御は発生せず、従来どおり人物Ａへの通話が可能となる。
【産業上の利用可能性】
【０１１４】
本発明は、携帯電話機などの携帯通信情報端末で場所・時間などにより、複数の用途(仕事とプライベートなど)にて使い分けを行うことに利用できる。
【図面の簡単な説明】
【０１１５】
【図１】本発明の一実施の形態の構成を示すブロック図である。
【図２】端末状態情報、通話制御情報及び判定問合せ情報について示す図である。
【図３】携帯情報端末１及び通話制御サーバ２の動作開始のトリガとなる操作を示したブロック図である。
【図４】本発明の一実施の形態の具体例を示す図である。
【図５】例１〜４が発生する以前に、人物Ａが所持する携帯情報端末より設定を行い、通話制御サーバに設定した通話制御情報を示す。
【図６】例１〜４における制御情報判定部における判定時の情報を示す。
【符号の説明】
【０１１６】
１１  位置情報取得・通知部
１２  制御情報設定部
１３  通信制御部
１４  デバイス制御部
１５  端末通信部
２１  サーバ通信部
２２  制御情報設定部
２３  制御情報判定部
２４  通話制御情報格納部
２５  端末状態情報格納部
【図１】
2006246346.tif 000003
【図２】
2006246346.tif 000004
【図３】
2006246346.tif 000005
【図４】
2006246346.tif 000006
【図５】
2006246346.tif 000007
【図６】
2006246346.tif 000008